(57)【要約】【課題】  受け取り側が必要とする情報をホームページ上に記録するとともに、情報の追加、又は、修正、あるいは、削除を可能とし、会員の死後における不測の事態にも対処可能とする。【解決手段】  インターネット７上の所定のアドレスに帰属する委託者専用のライフバンクサイト４を設定登録するための手段と、委託者による文字情報、又は、音声情報、又は、画像情報、あるいは、これらの情報を組み合わせた所定の情報を入力するための手段と、入力された所定の情報を追加、又は、修正、あるいは、削除可能とするための手段と、入力された所定の情報を記録ならびに保存するための記録装置３と、入力された所定の情報に基づいてライフバンクサイト４を構築するための手段とを具えさせた。【選択図】      図１
2005339483.tif 000002
【特許請求の範囲】
【請求項１】
インターネット上の所定のアドレスに帰属する委託者専用のライフバンクサイトを設定登録するための手段と、前記委託者による文字情報、又は、音声情報、又は、画像情報、あるいは、これらの情報を組み合わせた所定の情報を入力するための手段と、入力された前記所定の情報を追加、又は、修正、あるいは、削除可能とするための手段と、入力された前記所定の情報を記録ならびに保存するための記録装置と、入力された前記所定の情報に基づいて前記ライフバンクサイトを構築するための手段と、入力された前記所定の情報を閲覧することができる宛先人を指定するための手段と、所定の端末機器により前記ライフバンクサイトにアクセスした人物が前記委託者より指定された前記宛先人であるか否かを照合するための手段とを具えているライフバンクシステムにおいて、
前記所定の端末機器は、前記宛先人を認証するための手段を具えており、認証された前記宛先人の情報は電子化され前記所定の端末機器に記録ならびに保存されるとともに、前記ライフバンクシステムを介して前記記録装置に記録ならびに保存され、前記所定の端末機器により前記ライフバンクサイトにアクセスした前記宛先人の電子化情報と、前記記録装置に記録ならびに保存されている前記宛先人の電子化情報とが一致しているとき、前記宛先人は前記委託者より前記宛先人に宛てられた前記所定の情報を閲覧可能とすることを特徴とするライフバンクシステム。
【請求項２】
前記宛先人は前記ライフバンクサイトにアクセスするための所定の手段を前記委託者より予め通知されていることを特徴とする請求項１記載のライフバンクシステム。
【請求項３】
パーソナルコンピュータ、あるいは、携帯電話等の所定の端末機器により前記ライフバンクサイトへのアクセスを可能とすることを特徴とする請求項１または２記載のライフバンクシステム。
【請求項４】
前記所定の端末機器により前記ライフバンクサイトにアクセスした前記宛先人が、前記委託者より前記宛先人に宛てられた前記所定の情報を閲覧すると、前記宛先人に所定の費用を徴収するための手段を具えていることを特徴とする請求項１，２または３記載のライフバンクシステム。
【発明の詳細な説明】
【技術分野】
【０００１】  本発明は、個人が生前に残しておきたい情報を、インターネットサイト上に記録ならびに保存するとともに、その個人により指定された宛先人のみが、自己（宛先人）に対してインターネットサイト上に記録ならびに保存された情報を、パーソナルコンピュータ等の所定の端末機器により閲覧可能とするライフバンクシステムに関するものである。
【背景技術】
【０００２】  近年のインターネットの普及に伴い、インターネットを介した各種の情報サービス事業が展開されており、その中でも、個人に関する情報をインターネットサイト上に記録ならびに保存し、その情報を基にして自分史等の作成を可能とするライフバンクシステムと称させる事業が注目を集めている。【０００３】  このようなライフバンクシステムの一例として、特開２００２−１９７２８７号公報に記載された発明がある。この発明は、インターネット上に、自分史等の会員に関する各種の情報を記録するホームページを形成するとともに、会員の要請に応じ、前記各種の情報を追加あるいは改変可能としたものである。また、前記各種の情報の全てあるいは一部を閲覧可能とし、さらには、前記各種の情報を特定者あるいは不特定者宛てに提供あるいは公開可能としたものである。【０００４】  従って、会員に関する各種の情報をホームページ上に恒久的に保存し、これらの情報に基づき自分史等を完結させることが可能となるとともに、前記各種の情報を特定者あるいは不特定者宛てに提供あるいは公開し、これらの情報を基にして会員の生前における願望を死後においても叶えることが可能となった。【０００５】  しかしながら、会員がホームページ上に記録する情報は、自分史を作成するための情報、あるいは、生前における願望についての情報であり、いわば、会員主体の一方的な情報であり、これらの情報の受け取り側である家族あるいは親族等に宛てた情報はごく僅かである。【０００６】  従って、会員がホームページ上に記録した情報には、受け取り側が必要とする情報が少なく、ホームページ上に記録されていない情報に関する問題、例えば、遺産相続の分配比率をどのようにするか、といった問題が発生した場合、家族あるいは親族等はその問題に対処することが困難であり、殊に、このような事態は、会員の死後において生じる可能性が顕著である。【０００７】  また、会員の記録した情報を不特定者宛てに提供あるいは公開可能としているが、前記各種の情報の中には秘匿性を有する情報、例えば、遺言といった家族あるいは親族に対してのみ開示したい情報が含まれている場合、このような秘匿性を有する情報が不特定者に知られてしまうのは好ましくはない。【０００８】  さらに、会員のホームページ上に記録された情報の閲覧を希望する者は、会員よりアクセスＩＤを取得し、そのＩＤを入力すればホームページ上に記録されている会員の情報を閲覧することが可能となる。しかしながら、前記アクセスＩＤが単なる電子的パスワードの場合、そのパスワードを第三者に盗まれてしまう可能性があり、秘匿性を有する情報が第三者に閲覧されてしまうという安全面における問題も存在する。
【特許文献１】特開２００２−１９７２８７号公報
【発明の開示】
【発明が解決しようとする課題】
【０００９】  本発明は、前記公報に記載された発明が有する、会員がホームページ上に記録する情報は、会員主体の一方的な情報であり、これらの情報の受け取り側が必要とする情報が少なく、ホームページ上に記録されていない情報に関する問題が発生した場合、受け取り側である家族あるいは親族等はその問題に対処することが困難であり、殊に、このような事態は、会員の死後において生じる可能性が顕著である、という前述の課題を解決するためになされたものであり、主として受け取り側が必要とする情報をホームページ上に記録するとともに、情報の追加、又は、修正、あるいは、削除を可能とし、会員の死後における不測の事態にも対処可能なライフバンクシステムを提供することを第一の目的としている。【００１０】  また、前記公報に記載された発明は、会員の記録した情報を不特定者宛てに提供あるいは公開可能としているが、家族あるいは親族に対してのみ開示したい秘匿性を有する情報を不特定者に知られてしまうのは好ましくはない、という前述の課題を解決するためになされたものであり、委託者は記録された情報を閲覧することができる宛先人を指定するとともに、ライフバンクサイトにアクセスするための所定の手段を宛先人に予め通知しておき、秘匿性を有する情報を不特定者に知られてしまうことを防止したライフバンクシステムを提供することを第二の目的としている。【００１１】  さらに、前記公報に記載された発明は、情報の閲覧を希望する者は、会員よりアクセスＩＤを取得し、そのＩＤを入力すればホームページ上に記録されている会員の情報を閲覧することが可能となるが、前記アクセスＩＤが単なる電子的パスワードの場合、そのパスワードを第三者に盗まれてしまう可能性があり、秘匿性を有する情報が第三者に閲覧されてしまう、という安全面における問題を解決するためになされたものであり、アクセスＩＤを宛先人の電子化情報とするとともに宛先人照合システムを設け、情報管理の安全性を高めたライフバンクシステムを提供することを第三の目的としている。
【課題を解決するための手段】
【００１２】  本発明は、前述の課題を解決するために、インターネット上の所定のアドレスに帰属する委託者専用のライフバンクサイトを設定登録するための手段と、委託者による文字情報、又は、音声情報、又は、画像情報、あるいは、これらの情報を組み合わせた所定の情報を入力するための手段と、入力された所定の情報を追加、又は、修正、あるいは、削除可能とするための手段と、入力された所定の情報を記録ならびに保存するための記録装置と、入力された所定の情報に基づいてライフバンクサイトを構築するための手段と、入力された所定の情報を閲覧することができる宛先人を指定するための手段と、所定の端末機器によりライフバンクサイトにアクセスした人物が委託者より指定された宛先人であるか否かを照合するための手段とを具えさせるとともに、所定の端末機器は宛先人を認証するための手段を具えており、認証された宛先人の情報は電子化され所定の端末機器に記録ならびに保存されるとともに、ライフバンクシステムを介して記録装置に記録ならびに保存され、所定の端末機器によりライフバンクサイトにアクセスした宛先人の電子化情報と、記録装置に記録ならびに保存されている宛先人の電子化情報とが一致しているとき、宛先人は委託者より宛先人に宛てられた所定の情報を閲覧できるようにした。【００１３】  また、宛先人はライフバンクサイトにアクセスするための所定の手段を委託者より予め通知されていることにした。【００１４】  さらに、パーソナルコンピュータ、あるいは、携帯電話等の所定の端末機器によりライフバンクサイトへのアクセスを可能にした。【００１５】  さらにまた、所定の端末機器によりライフバンクサイトにアクセスした宛先人が、委託者より宛先人に宛てられた所定の情報を閲覧すると、宛先人に所定の費用が徴収されるようにした。
【発明の効果】
【００１６】  本発明のライフバンクシステムは、インターネット上の所定のアドレスに帰属する委託者専用のライフバンクサイトに、委託者自らが宛先人に残しておきたい文字情報、又は、音声情報、又は、画像情報、あるいは、これらの情報を組み合わせた所定の情報を記録したものであり、ホームページ上に情報の受け取り側である宛先人が必要とする情報が豊富に記録されているので、宛先人は委託者の死後における不測の事態にも対処可能となった。【００１７】  また、入力された所定の情報を閲覧することができる宛先人を指定するとともに、ライフバンクサイトにアクセスするための所定の端末機器は、宛先人の電子化情報を認証するための手段を具えており、認証された宛先人の電子化情報は所定の端末機器に記録ならびに保存されるとともに、ライフバンクシステムを介して記録装置に記録ならびに保存され、所定の端末機器によりライフバンクサイトにアクセスした宛先人の電子化情報と、記録装置に記録ならびに保存されている宛先人の電子化情報とが一致しているとき、宛先人は、委託者より宛先人に宛てられた所定の情報を閲覧できるようにしたことにより、指定された宛先人のみに情報が伝達され、秘匿性を有する情報が不特定者に知られてしまうことを防止できるようになった。【００１８】  さらに、パーソナルコンピュータ、あるいは、携帯電話等の所定の端末機器によりライフバンクサイトへのアクセスを可能としたことにより、身近な情報端末機器により容易にライフバンクサイトへアクセスし、情報を閲覧することが可能となった。
【発明を実施するための最良の形態】
【００１９】  次に、図面を参照して本発明を実施するための最良の形態について説明する。図１は、本発明のライフバンクシステム１の好ましい概念図の一例を示すものである。【００２０】  ライフバンクシステム１は、ライフバンクシステム１の運営業務を実行するための所定の演算処理プログラムが組み込まれたホストコンピュータ２と、ライフバンクシステム１の運営業務に必要とされる所定のデータが蓄積されている記録装置３と、ライフバンクサイト４とからなり、前記ホストコンピュータ２と前記記録装置３との間でデータの授受行い、ホストコンピュータ２の指令に基づき前記ライフバンクサイト４は構築されている。【００２１】  委託者端末５と宛先人端末６とは、インターネット７を介してライフバンクサイト４に接続可能となっている。さらに、前記宛先人端末６は宛先人を認証するための認証装置８を具えており、前記認証装置８により認証された前記宛先人の情報は電子化され、宛先人端末６に記録ならびに保存されるとともに、ライフバンクシステム１を介して記録装置３にも記録ならびに保存される。【００２２】  尚、委託者端末５および宛先人端末６は、インターネット７に接続可能な端末装置であればどのようなものであってもよく、パーソナルコンピュータ、ゲーム機、情報家電、携帯式情報端末、携帯電話等の各種の情報端末機器が含まれる。【００２３】  図２は、委託者の新規登録から委託者専用のライフバンクサイト４の構築に至るまでの手続の流れを説明するフローチャートである。【００２４】  ステップＳ１０１：先ず始めに、委託者はライフバンクサイト４の運営会社に対して加入申し込み契約を行う。ここで、加入申し込み契約はインターネット７を介して行ってもよいが、ライフバンクサイト４の運営会社に直接赴いて手続を行ってもよい。【００２５】  ステップＳ１０２：前記運営会社は、委託者の加入申し込み契約に応じて、インターネット７上の所定のアドレスに帰属する委託者専用のライフバンクサイト４を開設する。【００２６】  ステップＳ１０３：委託者が宛先人毎に伝えておきたいと考える、文字情報、又は、音声情報、又は、画像情報、あるいは、これらの情報を組み合わせた所定の情報の記録を行う。情報の記録作業は、委託者自らが運営会社が用意したテンプレートを用いて行っても良いが、運営会社に籍をおくカウンセラーならびにデザイナーと委託者とが面談・相談し、ライフバンクサイト４に記録する情報とライフバンクサイト４のデザインを検討してもよい。尚、前記テンプレートは図３に示したものであり、主として、記録した情報を閲覧することができる宛先人を指定する欄と、その宛先人へのメッセージ欄と、情報の追加欄・修正欄・削除欄、および、完了欄とにより構成されている。【００２７】  ステップＳ１０４：委託者がステップＳ１０３で形成されたライフバンクサイト４を承認する。【００２８】  ステップＳ１０５：委託者専用のライフバンクサイト４がインターネット７上にアップロードされる。これにより、インターネット７上の所定のアドレスに帰属する委託者専用のライフバンクサイト４が構築される。尚、ライフバンクサイト４に記録された情報は、ライフバンクシステム１を介して、記録装置３に記録���らびに保存される。【００２９】  ここで、委託者による記録情報は、主として情報の受け取り側である宛先人が必要とする情報であり、例えば、（１）委託者の氏名、（２）遺言、（３）遺産の管理方法、（４）葬儀の場所、（５）葬儀形態、（６）葬儀への招待客リスト、（７）法要の方式、（８）弁護士の連絡先、（９）弁理士の連絡先、（１０）医者の連絡先、（１１）後世へのメッセージ、等であるが、これらに限定されるものではなく、宛先人が必要とするあらゆる情報が含まれる。【００３０】  尚、委託者専用のライフバンクサイト４が完成した後、委託者がライフバンクサイト４に記録されている情報の追加・修正・削除を希望するときは、インターネット７を介して委託者専用のライフバンクサイト４にアクセスし、ステップＳ１０３において利用したテンプレートを呼び出し、追加欄・修正欄・削除欄の所定の欄を選択すればよい。【００３１】  情報の追加を希望するときは、委託者端末５によりインターネット７を介して委託者専用のライフバンクサイト４にアクセスし、ステップＳ１０３において利用したテンプレートを呼び出しテンプレートの追加欄を選択する。すると、テンプレートが追加可能状態となり、テンプレートにおける追加を希望する所定の箇所を選択し情報の追加を行い、最後に完了欄を選択すると、情報の追加が完了する。【００３２】  情報の修正を希望するときは、委託者端末５によりインターネット７を介して委託者専用のライフバンクサイト４にアクセスし、ステップＳ１０３において利用したテンプレートを呼び出しテンプレートの修正欄を選択する。すると、テンプレートが修正可能状態となり、テンプレートにおける修正を希望する所定の箇所を選択し情報の修正を行い、最後に完了欄を選択すると、情報の修正が完了する。【００３３】  情報の削除を希望するときは、委託者端末５によりインターネット７を介して委託者専用のライフバンクサイト４にアクセスし、ステップＳ１０３において利用したテンプレートを呼び出しテンプレートの削除欄を選択する。すると、テンプレートが削除可能状態となり、テンプレートにおける削除を希望する所定の箇所を選択し情報の削除を行い、最後に完了欄を選択すると、情報の削除が完了する。【００３４】  尚、テンプレートを用いずに、運営会社に籍をおくカウンセラーと委託者とが面談・相談し、運営会社がライフバンクサイト４に記録する情報を入力した場合は、ライフバンクサイト４に記録されている情報の追加・修正・削除は運営会社が行ってもよい。【００３５】  図４は、宛先人が委託者専用のライフバンクサイト４に記録されている情報を閲覧し、所定の費用が徴収されるまでの流れを説明するフローチャートである。【００３６】  ステップＳ２０１：先ず始めに、宛先人端末６によりインターネット７を介して委託者専用のライフバンクサイト４にアクセスする。【００３７】  ステップＳ２０２：委託者専用のライフバンクサイト４にアクセスがあると宛先人照合システム９が作動するとともに、宛先人の認証が行われる。ここで、前記宛先人端末６は宛先人を認証するための認証装置８を具えており、前記認証装置８により認証された前記宛先人の情報は電子化され、宛先人端末６に記録ならび���保存されるとともに、ライフバンクシステム１を介して記録装置３にも記録ならびに保存される。【００３８】  ステップＳ２０３：委託者専用のライフバンクサイト４にアクセスするために、委託者より予め通知されている所定の手段を実行する。ここで、所定の手段は宛先人毎に異なり、例えば、単なる電子的パスワードの場合もあるが、電子的パスワードとともに宛先人の電子化された情報の場合もある。この場合は、電子的パスワードを入力するとともに宛先人端末６に記録ならびに保存されている宛先人の電子化情報と、記録装置３に記録ならびに保存されている宛先人の電子化情報との照合が行われれる。【００３９】  ステップＳ２０４：電子的パスワード、あるいは、電子的パスワードとともに宛先人端末６に記録ならびに保存されている宛先人の電子化情報と、記録装置３に記録ならびに保存されている宛先人の電子化情報の照合結果が一致していれば、宛先人はライフバンクサイト４にアクセスし、ライフバンクサイト４に記録されている委託者の記録情報を閲覧することが可能となる。【００４０】  ステップＳ２０５：宛先人がライフバンクサイト４に記録されている所定の情報を閲覧し、ログアウトすると宛先人に所定の費用が徴収される。
【図面の簡単な説明】
【００４１】
【図１】本発明の好ましい概念図の一例を示すものであり、ライフバンクシステムの概念図である。
【図２】委託者の新規登録から委託者専用のライフバンクサイトの構築に至るまでの手続の流れを説明するフローチャートである。
【図３】本発明の好ましいテンプレートの一例を示すものである。
【図４】宛先人が委託者専用のライフバンクサイトに記録されている情報を閲覧し、所定の費用が徴収されるまでの流れを説明するフローチャートである。
【符号の説明】
【００４３】１  ライフバンクシステム、２  ホストコンピュータ、３  記録装置、４  ライフバンクサイト、５  委託者端末、６  宛先人端末、７  インターネット、８  認証装置、９  宛先人照合システム
【図１】
2005339483.tif 000003
【図２】
2005339483.tif 000004
【図３】
2005339483.tif 000005
【図４】
2005339483.tif 000006